(57)【要約】【課題】板材に対する支持強度が高く、支持応力の局部的偏在がない、支柱への板材の取付構造を提供する。【解決手段】支柱１の外周面に、長手方向を向く３条の溝条４ａを、互いに側方に離間させて設け、中央の溝条４ａに設けた係止孔１０ａに、板材７の背面に突設した突片９の先端に設けた係止片９ｂを係止し、両側方の溝条４ａに係止したブラケット１０を、板材７の背面に締着手段１５，１６をもって締着する。【選択図】      図１
2009100966.tif 000002
【特許請求の範囲】
【請求項１】
支柱の外周面に、長手方向を向く３条の溝条を、互いに側方に離間させて設け、中央の溝条に設けた係止孔に、上下方向を向く板材の背面に突設した突片の内端に設けた係止片を係止し、かつ両側方の溝条に係止したブラケットを、前記板材の背面に締着手段をもって締着したことを特徴とする支柱への板材の取付構造。
【請求項２】
支柱の断面形状を、円形または正多角形とし、中央の溝条は板材の背面に近接し、両側方の溝条は板材の背面から離間するものとした請求項１記載の支柱への板材の取付構造。
【請求項３】
中央の溝条をあり溝とし、係止孔を、この溝条に嵌合した挿入部材に設けた請求項１または２記載の支柱への板材の取付構造。
【請求項４】
両側方の溝条を、支柱の両側方に向かって開口するものとし、かつ両側方のブラケットの先端に、前記溝条の開口縁に係合する内向きの鉤形片を設けた請求項１〜３のいずれかに記載の支柱への板材の取付構造。
【請求項５】
板材の背面における突片および両ブラケットを挟む上下部に、支柱に嵌合しうる凹部を有する水平板を固着し、この上下の水平板に、板材と反対側の支柱の側面を覆うカバーの上下部に設けた水平板を取り付け、前記板材とカバーとにより、支柱を囲む箱状体を形成した請求項１〜４のいずれかに記載の支柱への板材の取付構造。
【請求項６】
板材の表面に、物品を支持する棚板を設けた請求項１〜５のいずれかに記載の支柱への板材の取付構造。
【発明の詳細な説明】
【技術分野】
【０００１】
本発明は、支柱への板材の取付構造に関する。
【背景技術】
【０００２】
上下方向を向く支柱に対して、被取付物品の一面を支柱側に向けて取付けるための構造の一例として、被取付物品から延設した１対の取付金具に設けたスライダを、支柱の外周面における最も外側方に突出する面に形成されたあり溝内に移動可能に嵌合し、取付金具の外側方より前記スライダに止めねじを螺合することによって、被取付物品を支柱の任意高さ位置に固定しうるようにしたものがある（例えば特許文献１参照）。
【特許文献１】特開２００７−２１５８００号公報
【発明の開示】
【発明が解決しようとする課題】
【０００３】
しかし、特許文献１に記載された構造においては、スライダが、あり溝に対して上下方向に摺動可能なまま、止めねじをスライダに螺合して一箇所で固定するため、支柱に対する被取付物品の支持強度が不安定である。また、スライダの固定位置のみに被取付物品の支持応力が集中するため、局部変形するおそれがある。
【０００４】
本発明は、従来の技術が有する上記のような問題点に鑑み、板材に対する支持強度が高く、支持応力の局部的偏在がない、支柱への板材の取付構造を提供することを目的としている。
【課題を解決するための手段】
【０００５】
本発明によると、上記課題は次のようにして解決される。
(１)  支柱の外周面に、長手方向を向く３条の溝条を、互いに側方に離間させて設け、中央の溝条に設けた係止孔に、上下方向を向く板材の背面に突設した突片の内端に設けた係止片を係止し、かつ両側方の溝条に係止したブラケットを、前記板材の背面に締着手段をもって締着する。
【０００６】
(２)  上記(１)項において、支柱の断面形状を、円形または正多角形とし、中央の溝条は板材の背面に近接し、両側方の溝条は板材の背面から離間するものとする。
【０００７】
(３)  上記(１)または(２)項において、中央の溝条をあり溝とし、係止孔を、この溝条に嵌合した挿入部材に設ける。
【０００８】
(４)  上記(１)〜(３)項のいずれかにおいて、両側方の溝条を、支柱の両側方に向かって開口するものとし、かつ両側方のブラケットの先端に、前記溝条の開口縁に係合する内向きの鉤形片を設ける。
【０００９】
(５)  上記(１)〜(４)項のいずれかにおいて、板材の背面における突片および両ブラケットを挟む上下部に、支柱に嵌合しうる凹部を有する水平板を固着し、この上下の水平板に、板材と反対側の支柱の側面を覆うカバーの上下部に設けた水平板を取り付け、前記板材とカバーとにより、支柱を囲む箱状体を形成する。
【００１０】
（６）上記(１)〜(５)項のいずれかにおいて、板材の表面に、物品を支持する棚板を設ける。
【発明の効果】
【００１１】
本発明によると、次のような効果を奏することができる。
請求項１記載の発明によると、突片の先端に設けた係止片を、中央の条溝に設けた係止孔に係止させることにより、板材側の荷重が支柱によって担支され、この状態で、締着手段を締着することにより、左右の条溝に係止した左右のブラケットが板材側に引寄せられ、それによって、左右のブラケットは溝条に固く締結され、支柱に対する板材の支持強度を向上させることができる。また、左右のブラケットの溝条に対する係止長さに応じて支持応力が均一化されるため、局部変形のおそれもない。
【００１２】
請求項２記載の発明によると、各種断面形状の支柱に対する板材の取付に適用できるとともに、支柱の体裁をよくすることができる。
【００１３】
請求項３記載の発明によると、押出し成形等により形成した支柱に、機械加工等により係止孔を直接形成する必要がなく、係止孔を設けた挿入部材を、支柱の任意の溝条に挿入するだけでよいので、支柱の製造作業が容易になる。
【００１４】
請求項４記載の発明によると、締着手段の締結により鉤形片全体が溝条の縁部に圧締され、支持強度の向上と、支持応力の均一化が図られ、取付構造も簡単なものとなる。
【００１５】
請求項５記載の発明によると、支柱に対する板材の固定後に、これの上下に設けられた水平板に、カバーの上下に設けた水平板を重ねて取付けるだけで、支柱を囲う美麗な箱状体を形成することができる。
【００１６】
請求項６記載の発明によると、棚板上に、支柱に支持させようとする種々の物品を載置することができる。
【発明を実施するための最良の形態】
【００１７】
以下、本発明の一実施形態を、添付図面を参照して説明する。  
図１〜図５は、本発明の一実施形態を示す。この実施形態は、図６について後述するように、ＯＡ用テーブルにおける天板２１を支持する支柱１に、板材７を取付けたものである。
【００１８】
図１は、本発明の一実施形態の全体構成を示す分解斜視図である。
支柱１は、十字状としたほぼ水平な４本の脚杆２を有する取付ベース３の中央に立設されたほぼ円筒状の支柱本体４と、支柱本体４の上部に、キャップ５を介して嵌合された上部支柱６とを備えている。
【００１９】
支柱本体４の一側面には、板材７が取付けられ、さらに、支柱本体４を挟んで、板材７に、カバー８が装着されている。各脚杆２の先端部には、キャスタ２ａが設けられ、支柱１が床面上を移動しうるようにしている。
【００２０】
支柱本体４は、アルミニウム合金の異形押出し成形体からなり、図２に拡大して示すように、その外周には、９０°間隔で、各脚杆２と同方向に開口する４条のあり溝４ａが形成されている。このうちの１条のあり溝４ａには、板材７の背面中央に一体的に固着された突片９を係止するための挿入部材１０が嵌合され、その両側のあり溝４ａには、板材７の背面左右に固定される左右のブラケット１１の先端が嵌合固定されるようになっている。
【００２１】
板材７は、支柱本体４とほぼ同一高さで、所定幅の薄鋼板からなり、その前面下端には、前方を向く棚板１２が折曲形成され、また、背面上下部には、板材７とほぼ同一幅の上下１対の水平板１３が溶接により固着されている。
【００２２】
突片９は、薄鋼板からなる縦長状のプレス成形体であり、その前端に折曲形成されたフランジ９ａの複数箇所をスポット溶接１４する（図２参照）ことにより、板材７の背面中央に固着されている。突片９の先端には、下向鈎形の複数の係止片９ｂが突設されており、各係止片９ｂは、挿入部材１０の前端部に設けた複数の係止孔１０ａ（図２参照）に係止されるようになっている。
【００２３】
挿入部材１０は、あり溝４ａの内腔断面とほぼ等しい平面視ほぼコ字状をなし、かつ支柱本体４の高さとほぼ等しい長さの縦長の鋼板製のものからなっており、下端が取付ベース３の上面に当接されている。
【００２４】
左右のブラケット１１は、薄鋼板からなる縦長のプレス成形体であり、板材７に対向する前端には、フランジ１１ａが折曲形成され、また、左右のあり溝４ａに対向する後端には、フランジ１１ａとは逆方向に折曲形成された鉤形片１１ｂが長手方向全体に亘って設けられている。
【００２５】
フランジ１１ａの上下部には、ねじ挿通孔１１ｃ（図４参照）が穿設されており、このねじ挿通孔１１ｃに連通するようにして、溶接ナット１５が固着されている。この溶接ナット１５の位置に対応して、板材７における突片９の左右両方向には、それぞれ上下１対のねじ挿通孔７ａが設けられている。鉤形片１１ｂを、あり溝４ａに差込み、板材７の前面側より取付ねじ１６（締着手段）をねじ挿通孔７ａ，１１ｃを通して、溶接ナット１５に螺合することにより、図３および図４に矢印で示すように、両ブラケット１１は、板材７側に引寄せられる結果、鉤形片１１ｂは、あり溝４ａの縁部に強固に係止される。
【００２６】
取付ねじ１６による締着力は、鉤状片１１ｂの長さ全体に亘ってほぼ均一に作用するため、板材７は、支柱本体４に強固に支持されるとともに、締着応力が一箇所に集中することなく、歪み、変形なども防止される。
【００２７】
上下の水平板１３は、その幅方向中央部が、板材７の背面上下部にスポット溶接され、中央における支柱１１との対向縁には、支柱本体４の外径にほぼ等しい内径の半円状の切欠き１３ａが形成されている。また、上下の水平板１３の両側部と板材７との間には、カバー８の係合用のスリット１３ｂが形成されており、さらに上方の水平板１３の両側部には、カバー８取付用のねじ孔１３ｃが設けられている。
【００２８】
板材７を支柱本体４に固定すると、図３に示すように、上下の水平板１３の切欠き１３ａが支柱本体４の前半部に嵌合するようになっている。
【００２９】
カバー８は、薄鋼板を折曲げ成形して、板材７の背面と支柱１とを覆うようにしたもので、その前面上下部には、板材７側の水平板１３上に重ね合される上下の水平板１７が、スポット溶接等により固着されている。
【００３０】
上下の水平板１７は、カバ−８の折曲げ形状に合わせて平面視ほぼ台形状に形成されている。各水平板１７の左右方向の中央部には、前方に向かって開口するほぼＵ字状の切欠き１７ａが設けられている。また各水平板１７の前縁両側部には、上記各スリット１３ｂに係合する１対の下向き係止片１７ｂが設けられている。さらに上方の水平板１７の両側部には、上記ねじ孔１３ｃに一致するねじ挿通孔１７ｂが設けられており、このねじ挿通孔１７ｂを通して、化粧ねじ１８をねじ孔１３ｃに螺合しうるようにしてある。
【００３１】
従って、板材７を上述のようにして支柱本体４に取付けた後、カバー８の各係止片１７ｂをスリット１３ｂに係合し、かつ各水平板１３上に水平板１７を重ね合せた上で、化粧ねじ１８を、ねじ孔１３ｃに螺合して締付けると、図５に示すように、支柱本体４を包囲するとともに、上下の端部が閉塞された箱状体１９が形成される。
【００３２】
その後、図５に示すように、支柱本体４上に、キャップ５を介して支柱６を装着すると、周囲に箱状体１９を一体化した支柱１が完成する。なお、図１および図５において、カバー８には、箱状体１９の内外を通気させるための多数の小孔２０が設けられている。
【００３３】
図６は、上記組立体を、ＯＡ用テーブルに適用した一例を示す。図６において、上部支柱６の上端には、天板２１の一側部が片持ち支持されており、天板２１の下方に配設した椅子（図示略）に座って、天板２１上に載置したノートパソコン２２等の入力操作を行うことができる。
【００３４】
また、棚板１２上には、アタッシュケース２３などを設置しておくことができ、箱状体１９の内部には、図示しないＬＡＮなどのハブや、モデムなどの外部接続機器など、ＬＡＮケーブル、電話線などの外部接続ケーブル、電源コード等の余長部分等を収容しておくことができる。
【００３５】
ノートパソコン２２に替えて、ディスクトップ型のパソコンを用いる場合には、キーボード、マウス並びにディスプレイのみを天板２１上に載置し、パソコン本体は、棚板１２上に載置することもできる。
【００３６】
本発明は、上記実施形態のみに限定されるものではなく、幾多の変形した態様での実施が可能である。
例えば、支柱本体４を、ほぼ円筒形のアルミニウム合金の異形押出し成形体としたが、正四角形以上の、偶数の正多角形状断面の異形押出し成形体で構成してもよい。
【００３７】
また、挿入部材１０を省略し、係止孔１０ａを支柱本体４の溝条４ａの奧端面に設けてもよい。
【００３８】
さらに上記実施形態では、取付ベース３を、等間隔で配置された４本の同一長さの脚杆２を備えるものとしたが、図６に示す適用例等において、天板２１を片持ち支持した場合における荷重バランスを考慮し、天板２１の長手方向に延出する１本の長寸の脚杆と、その前後方向に延出する短寸の２本の脚杆との、３本の脚杆により構成してもよい。
【００３９】
支柱１は、天板２１を支持するためのものだけでなく、例えば建造物の柱、ポール、家具の脚等とすることができ、また、支柱１を水平として、これに板材７を上記と同様の構造を持って取付けてもよい。
【図面の簡単な説明】
【００４０】
【図１】本発明の支柱への板材の取付構造の一実施形態を示す分解斜視図である。
【図２】同じく、要部の拡大分解斜視図である。
【図３】同じく、板材の取付状態を示す分解斜視図である。
【図４】図３のIV−IV線に沿う横断平面図である。
【図５】同じく、板材にカバーを取付け、支柱の周囲に箱状体を形成した斜視図である。
【図６】上記実施形態をＯＡ用テーブルに適用した場合を示す斜視図である。
【符号の説明】
【００４１】
１  支柱
２  脚杆
２ａ  キャスタ
３  取付ベース
４  支柱本体
４ａ  あり溝（溝条）
５  キャップ
６  上部支柱
７  板材
７ａ  ねじ挿通孔
８  カバー
９  突片
９ａ  フランジ
９ｂ  下向き係止片
１０  挿入部材
１０ａ  係止孔
１１  ブラケット
１１ａ  フランジ
１１ｂ  鉤形片
１１ｃ  ねじ挿通孔
１２  棚板
１３  水平板
１３ａ  切欠き
１３ｂ  スリット
１３ｃ  取付用ねじ孔
１４  スポット溶接
１５  溶接ナット（締着手段）
１６  取付ねじ（締着手段）
１７  水平板
１７ａ  切欠き
１７ｂ  下向係止片
１７ｃ  ねじ取付孔
１８  化粧ねじ
１９  箱状体
２０  小孔
２１  天板
２２  ノートパソコン
２３  アタッシュケース
【図１】
2009100966.tif 000003
【図２】
2009100966.tif 000004
【図３】
2009100966.tif 000005
【図４】
2009100966.tif 000006
【図５】
2009100966.tif 000007
【図６】
2009100966.tif 000008